(57)【特許請求の範囲】
【請求項１】
試料容器の挟持具を先端に備えたアームと、該アームを支柱に固定するクランプとを有する理化学用の試料容器固定装置において、前記挟持具を、前記アームの先端に支軸を介して開閉可能に設けられる一対のフィンガー部材と、両フィンガー部材の前記支軸よりも先端側の挟持部を開き方向に付勢する弾発部材と、前記アームに螺合して、アーム先端側への螺動により両フィンガー部材の前記支軸よりも後端側の操作部間に係合して該操作部を拡開して前記挟持部を閉じるナット部材とで構成し、前記クランプを、支柱挿通孔を軸線と直交する方向に形成したパイプ部材と、支柱挿通孔を形成して前記パイプ部材に回動可能に設けられたレバーと、該レバーを前記パイプ部材から離間する方向に付勢して前記両支柱挿通孔を前記支柱に係合させる弾発部材とで構成し、  前記パイプ部材に前記アームを挿入係止したことを特徴とする理化学用の試料容器固定装置。
【発明の詳細な説明】
【０００１】
【発明の属する技術分野】
本発明は、理化学用のビーカーやフラスコ等の試料容器を支持して任意の位置に固定する試料容器固定装置に関する。
【０００２】
【従来の技術】
恒温水槽、低温水槽、攪拌反応槽等にビーカーやフラスコ等の理化学用の試料容器を浸没させるために用いられる試料容器固定装置は、先端に試料容器を挟持具を備えたアームを、支柱の任意の位置にネジ止めクランプで固定する構造をしている。
【０００３】
【発明が解決しようとする課題】
ところが、上述の固定装置は、挟持具が特定の容器専用に作られていて、径の異なる他の容器には適用できず、汎用性に乏しかった。また、アームの上下左右の移動及び固定にネジ止めクランプのネジを緩めたり締めたりしなければならず面倒であった。
【０００４】
そこで本発明は、挟持具が各種の径の容器を挟持でき、しかも、アームの上下左右の移動及び固定が容易な理化学用の試料容器固定装置を提供することを目的としている。
【０００５】
【課題を解決するための手段】
上記した目的を達成するため、本発明は、試料容器の挟持具を先端に備えたアームと、該アームを支柱に固定するクランプとを有する理化学用の試料容器固定装置において、前記挟持具を、前記アームの先端に支軸を介して開閉可能に設けられる一対のフィンガー部材と、両フィンガー部材の前記支軸よりも先端側の挟持部を開き方向に付勢する弾発部材と、前記アームに螺合して、アーム先端側への螺動により両フィンガー部材の前記支軸よりも後端側の操作部間に係合して該操作部を拡開して前記挟持部を閉じるナット部材とで構成し、前記クランプを、支柱挿通孔を軸線と直交する方向に形成したパイプ部材と、支柱挿通孔を形成して前記パイプ部材に回動可能に設けられたレバーと、該レバーを前記パイプ部材から離間する方向に付勢して前記両支柱挿通孔を前記支柱に係合させる弾発部材とで構成し、  前記パイプ部材に前記アームを挿入係止したことを特徴としている。
【０００６】
【発明の実施の形態】
以下、本発明を、図面に示す実施形態例に基づいて、さらに詳細に説明する。本実施形態例は、図２に示されるように、恒温水槽１に試料容器固定装置２を組み込んだもので、該試料容器固定装置２は、恒温水槽１の本体３の上面に垂直に立設した支柱４と、試料容器５の挟持具６を先端に備えたアーム７と、該アーム７を支柱４に固定するクランプ８とで構成されている。
【０００７】
前記挟持具６は、前記アーム７の先端に開閉可能に設けられる一対のフィンガー部材９，９と、該フィンガー部材９，９の支軸となるボルト１０及びナット１１と、両フィンガー部材９，９のボルト１０よりも先端側の挟持部９ａ，９ａを開き方向に付勢する弾発部材としてのコイルスプリング１２と、前記アーム７に螺合したナット部材１３とで構成されている。
【０００８】
前記コイルスプリング１２は、前記フィンガー部材９，９の支軸１０よりも後端側の操作部９ｂ，９ｂ間に設けられている。また、前記ナット部材１３は、アーム７の先端側に螺動することにより、前記操作部９ｂ，９ｂ間に係合し、操作部９ｂ，９ｂを拡開して挟持部９ａ，９ａを閉じる。
【０００９】
前記クランプ８は、先端に前記アーム７が挿入されるパイプ部材１４と、該パイプ部材１４に回動可能に設けられたレバー１５と、該レバー１５を前記パイプ部材１４から離間する方向に付勢する弾発部材としてのコイルスプリング１６とで構成されている。
【００１０】
前記パイプ部材１４は、基端側に前記レバー１５をビス１７にて回動可能に設け、該レバー取付部よりも先端寄りに支柱挿通孔１４ａを軸線と直交する方向に形成するとともに、さらに先端寄りに前記コイルスプリング１６を取付けるためのボルト１８の挿通孔１４ｂを形成している。前記支柱挿通孔１４ａは、前記支柱４の径よりもやや大径に形成されている。また、前記パイプ部材１４には、前記アーム７を挿入係止する止めネジ１９が取付けられている。
【００１１】
前記レバー１５は、前記支柱挿通孔１４ａの上方の位置に、前記支柱４の径よりもやや大径の長孔状の支柱挿通孔１５ａを形成するとともに、前記ボルト１７の挿通孔１５ｂを形成している。前記コイルスプリング１６は、パイプ部材１４の挿通孔１４ｂとレバー１５の挿通孔１５ｂに挿通される前記ボルト１７に外嵌されている。
【００１２】
このように構成することにより、前記レバー１５を握って前記パイプ部材１４側へ押すことにより、図３に示されるように、パイプ部材１４の支柱挿通孔１４ａとレバー１５の支柱挿通孔１５ａとが支柱４に対して直線状になり、クランプ８の上下左右の移動が自由に行える。そして、前記レバー１５を離すと、図４に示されるように、レバー１５はコイルスプリング１６の付勢力により、支柱挿通孔１５ａの一側を支柱４に係合するとともに、パイプ部材１４を支柱４に対して傾斜させ、パイプ部材１４の支柱挿通孔１４ａの下側の一側と上側の他側とを支柱４に係合させ、パイプ部材１４を支柱４に固定するから、レバー１５のワンタッチ操作でクランプ８を支柱４の任意の位置に容易に固定することができる。
【００１３】
また、前記挟持具６は、図５に示されるように、ナット部材１３を前記フィンガー部材９，９の操作部９ｂ，９ｂに係合させない状態では、フィンガー部材９，９の挟持部９ａ，９ａが開いている。そして、図６に示されるように、前記ナット部材１３をアーム７の先端側に螺動して、前記操作部９ｂ，９ｂ間に係合させると、操作部９ｂ，９ｂが拡開して挟持部９ａ，９ａを閉じるから、ナット部材１３の螺動量を変えることにより各種の径の容器を挟持できる。さらに、前記パイプ部材１４に対する前記アーム７の挿入長さを変えることにより、支柱４と挟持具６間の距離を変更することができる。
【００１４】
なお、フィンガー部材９，９の形状は、上記実施形態例に限定されるものではなく、例えば、深い水槽に試料容器を浸没させる場合には、図８に示されるような特殊形状のフィンガー部材９，９に交換すればよい。また、上記実施形態例では、恒温水槽に試料容器固定装置を組み込んだもので説明したが、座台に支柱を立設した外置きタイプの試料容器固定装置にも本発明は適用可能である。
【００１５】
【発明の効果】
以上説明したように、本発明の理化学用の試料容器固定装置は、アーム先端に備えた試料容器の挟持具を、アームの先端に支軸を介して開閉可能に設けられる一対のフィンガー部材と、両フィンガー部材の支軸よりも先端側を開き方向に付勢する弾発部材と、アームに螺合して両フィンガー部材の支軸よりも後端側間に係合して両後端側を拡開するナット部材とで構成し、アームを支柱に固定するクランプを、支柱挿通孔を軸線と直交する方向に形成したパイプ部材と、支柱挿通孔を形成してパイプ部材に回動可能に設けられたレバーと、レバーをパイプ部材から離間する方向に付勢して両支柱挿通孔を支柱に係合させる弾発部材とで構成し、パイプ部材にアームを挿入係止したので、レバーを握ると、パイプ部材の支柱挿通孔とレバーの支柱挿通孔とが支柱に対して直線状になり、クランプの上下左右の移動が自由に行える。そして、レバーを離すと、レバーは弾発部材の付勢力により両支柱挿通孔を支柱に係合させ、パイプ部材を支柱に固定するから、クランプを支柱の任意の位置に容易に固定することができる。
【００１６】
また、挟持具は、ナット部材の螺動量を変えることによりフィンガー部材の挟持部の間隔を変更できるから、各種の径の容器を挟持できる。さらに、パイプ部材に対するアームの挿入長さを変えることにより、支柱と挟持具間の距離を変更することができる。
【図面の簡単な説明】
【図１】  本発明の試料容器固定装置の一実施形態例を示す分解斜視図である。
【図２】  試料容器固定装置を組み込んだ恒温水槽の斜視図である。
【図３】  クランプの開放状態を示す一部断面図である。
【図４】  クランプの係合状態を示す一部断面図である。
【図５】  挟持具の開放状態を示す平面図である。
【図６】  挟持具を閉じた状態を示す平面図である。
【図７】  挟持具の斜視図である。
【図８】  挟持具の別実施形態例を示す斜視図である。
【符号の説明】
１…恒温水槽、２…試料容器固定装置、４…支柱、５…試料容器、６…挟持具、７…アーム、８…クランプ、９…フィンガー部材、９ａ…フィンガー部材９の挟持部、９ｂ…フィンガー部材９の操作部、１０…ボルト、１２…コイルスプリング、１３…ナット部材、１４…パイプ部材、１４ａ…パイプ部材の支柱挿通孔、１５…レバー、１５ａ…レバーの支柱挿通孔、１６…コイルスプリング
【図１】
0004294760.tif 000002
【図２】
0004294760.tif 000003
【図３】
0004294760.tif 000004
【図４】
0004294760.tif 000005
【図５】
0004294760.tif 000006
【図６】
0004294760.tif 000007
【図７】
0004294760.tif 000008
【図８】
0004294760.tif 000009